(57)【特許請求の範囲】
【請求項１】
送風機本体と、送風機本体のエア吐出口に設けられるものであって、筒状のコーム基台の先端にコーム部と風を吹き出す開口部とを設けたアタッチメントを備えたヘアーセッターにおいて、アタッチメントのコーム部における頭部当接側である一端側と非頭部当接側である他端側にコーム群を形成し、コーム部の非頭部当接側のコーム群と頭部当接側のコーム群との間に第１の開口部を設け、非頭部当接側のコーム群の非頭部当接側に第２の開口部を設け、該第２の開口部は第１の開口部より開口面積が小さいことを特徴とするヘアーセッター。
【請求項２】
非頭部当接側のコーム群のうち、少なくとも非頭部当接側である外側に位置する１本以上のコームに非頭部当接側で補助送風口を設けたことを特徴とする請求項１記載のヘアーセッター。
【請求項３】
非頭部当接側のコーム群のうち、少なくとも頭部当接側である内側に位置する１本以上のコームに非頭部当接側で補助送風口を設けたことを特徴とする請求項１記載のヘアーセッター。
【請求項４】
アタッチメントの風洞内に、第２の開口部から吹き出す風を非頭部当接側のコーム群より離れる側である斜め方向に吹き出すための風向き変更部を設けたことを特徴とする請求項１記載のヘアーセッター。
【請求項５】
アタッチメントの風洞内に第１の開口部または第２の開口部から吹き出される風を整流させるための整流片を設けたことを特徴とする請求項１記載のヘアーセッター。
【発明の詳細な説明】
【０００１】
【発明の属する技術分野】
本発明は、毛髪立ち上げ用のコームで髪の毛を立ち上げると共に送風しながらヘアーセットを行うようにしたヘアーセッターに関するものである。
【０００２】
【従来の技術】
従来、髪の毛のボリュームアップ用のヘアーセッターとしては、図１１に示すようなものがある。温風や冷風を送風する送風機本体１と、送風機本体１のエアー吐出口に装着したアタッチメント２とで主体が構成されている。アタッチメント２は筒状のコーム基台３の先端にコーム部４を設けてあり、このコーム部４には高さの高いコーム５群を設けてある。またこの高さの高いコーム５内には空洞を設けてあり、コーム５に風を吹き出す開口６を設けてある。そしてこのヘアーセッターにて髪の毛のボリュームアップをするにあたっては、コーム５群で髪の毛を立ち上げるように梳きながら開口６から温風のような風を吹き出すことで、髪の毛を立ち上げるセットアップを行うようになっている。
【０００３】
【発明が解決しようとする課題】
上記従来例のヘアーセッターでは、ヘアーセッターを人体の頭に沿わせて使用し、コーム５が髪の毛を捕らえた場合、温風のような風が髪の根元しか行かず、例えば髪の毛が濡れている場合、根元だけが乾いて、髪の根元以外の先端が湿ったままになってしまい、乾燥状態が非常にまばらになる上、折角ボリュームアップさせてもその重みで髪がペタンとなってしまうという問題がある。
【０００４】
本発明は叙述の点に鑑みてなされたものであって、ボリュームアップ用のヘアーセッターにおいて、髪の根元以外や先端に温風のような風を当てることにより、乾燥状態がまばらになるのを低減させると共に全体的に髪の毛を乾燥させてボリュームアップさせることができるヘアーセッターを提供することを課題とする。
【０００５】
【課題を解決するための手段】
上記課題を解決するために本発明の請求項１のヘアーセッターは、送風機本体１と、送風機本体１のエア吐出口に設けられるものであって、筒状のコーム基台３の先端にコーム部４と風を吹き出す開口部７とを設けたアタッチメント２を備えたものにおいて、アタッチメント２のコーム部４における頭部当接側である一端側と非頭部当接側である他端側にコーム群５、１６を形成し、非頭部当接側のコーム群５と頭部当接側のコーム群１６との間に第１の開口部７ａを設け、コーム部４の非頭部当接側のコーム群５の非頭部当接側に第２の開口部７ｂを設け、該第２の開口部７ｂは第１の開口部７ａより開口面積が小さいことを特徴とする。コーム５群で髪の毛をかき分け髪を軽く掬っているとき、頭部当接側に設けた第１の開口部７ａで髪の根元に温風のような風を送ることができるが、非頭部当接側に設けた第２の開口部７ｂで髪の根元以外にも温風のような風を当てることができ、乾燥状態がまばらになるのを低減させることができると共に、全体的に髪の毛を乾燥させてボリュームアップさせることができる。また人体の頭部のサイド等に使用した場合は、アタッチメント２全体を髪の毛が覆う形となり、アタッチメント２全体を覆った髪を浮かせることができ、さらにボリュームアップ力を上げることができる。
【０００６】
またコーム部４から出される風の流量が一定だと考えると、非頭部当接側に設けられた第２の開口部７ｂの開口面積を、頭部当接側に設けられた第１の開口部７ａの開口面積よりも小さくすることにより、第２の開口部７ｂから出る風の平均流速が早くなる。第２の開口部７ｂから出る風の平均流速を上げることにより、頭部のサイド等に使用した場合、アタッチメント２全体を覆った髪を浮かせることができる。
【０００７】
また本発明の請求項２のヘアーセッターは、請求項１において、非頭部当接側のコーム５群のうち、少なくとも非頭部当接側である外側に位置する１本以上のコーム５に非頭部当接側で補助送風口８を設けたことを特徴とする。コーム５に非頭部当接側で補助送風口８を設けたことにより、髪の毛が第１や第２の開口部７ａ，７ｂを塞ぎぎみになっても、第１や第２の開口部７ａ，７ｂより遠いところの髪に温風のような風を当ててやることができ、更に非頭部当接側に補助送風口８があることにより、髪のボリュームアップの方向に風を送ることができる。
【０００８】
また本発明の請求項３のヘアーセッターは、請求項１において、非頭部当接側のコーム５群のうち、少なくとも頭部当接側である内側に位置する１本以上のコーム５に非頭部当接側で補助送風口８を設けたことを特徴とする。コーム５群のうち、少なくとも内側に位置する１本以上のコーム５に非頭部当接側で補助送風口８を設けたことにより、髪の毛が第１や第２の開口部７ａ，７ｂを塞ぎ気味になっても、第１や第２の開口部７ａ，７ｂより遠いところの髪に温風のような風を当ててやることができ、第１や第２の開口部７ａ，７ｂより遠いところの髪の内部までボリュームアップの方向に風を送ることができる。
【０００９】
また本発明の請求項４のヘアーセッターは、請求項１において、アタッチメント２の風洞９内に、第２の開口部７ｂから吹き出す風を非頭部当接側のコーム５群より離れる側である斜め方向に吹き出すための風向き変更部１０を設けたことを特徴とする。風向き変更部１０を設けることにより、第２の開口部７ｂからは更に斜め方向に風を吐出させることができ、頭部のサイドに使用した場合、アタッチメント２全体を覆った髪を、コーム５のラジアル方向に浮かせるのに効果的である。
【００１０】
また本発明の請求項５のヘアーセッターは、請求項１において、アタッチメント２の風洞９内に第１の開口部７ａまたは第２の開口部７ｂから吹き出される風を整流させるための整流片１１を設けたことを特徴とする。整流片１１を設けることにより、送風機本体１のエア吐出口から吐出された温風のような風がアタッチメント２内の風洞９を開口部７ａ，７ｂに向かって流れるときに整流され、第１や第２の開口部７ａ，７ｂから整流された風を吹き出すことができる。
【００１１】
【発明の実施の形態】
図１１に示す送風機本体１のエアー吐出口に接続して取り付けるアタッチメント２は図１乃至図３に示すように構成されている。アタッチメント２は筒状のコーム基台３の先端部にコーム部４を設けると共にコーム部４に開口部７を設けて形成されている。コーム基台３は基端部の軸方向と先端部の軸方向とが同方向になるようにしてあっても、異方向となるようにして彎曲させてあってもよい。コーム基台３の先端にコーム部４の基板４ａを取り付ける場合、基板４ａのフック固定リブ１３とコーム基台３のフック１４とを係止し、ネジ１５を螺合している。アタッチメント２内の風洞９内であるコーム基台３の内面には複数の整流片１１を設けてあり、適宜の整流片１１の上端に上記フック１４を設けてある。コーム部４の一端側に高さの高いコーム５を配列してコーム５群を形成してある。本例の場合、高さの高いコーム５を１列に整列させて配置してある。コーム部４の他端側には高さの低いコーム１６を配列してコーム１６群を形成してある。本例の場合、高さの低いコーム１６群が複数列に設けてあり、また高さの低いコーム１６群が高さの高いコーム５群より密になるように設けてある。本例の場合、コーム１６群が台部１７に一体に設けてあり、台部１７が基板４ａの切り欠き部１８に台部１７のフック１９を係止することでコーム部４の基板４ａに固定してある。またコーム部４の高さの低いコーム１６群を設ける側は頭部当接側となっており、その反対側が非頭部当接側となっているが、コーム部４の基板４ａに設けられる送風用の開口部７はコーム５の頭部当接側に位置する第１の開口部７ａとコーム５の非頭部当接側に位置する第２の開口部７ｂとで構成されている。そしてヘアーセッターの本体である送風機本体１から開口部７ａ，７ｂに温風のような風が送られるようになっている。またコーム部４の高さの高いコーム５の内部は空洞２０を有しており、ヘアーセッターの本体である送風機本体１から空洞２０内に温風のような風が送られるようになっている。高さの高いコーム５の側面部の非頭部当接側である外側には外側に向けて補助送風口８を設けてあり、空洞２０内と連通させてある。また高さの高いコーム５の側面部の頭部当接側である内側には内側に向けて第２の補助送風口２１を設けてあり、空洞２０内と連通させてある。また図５、図６に示す他の例では、コーム部４にコーム５群を多列に設けてある。この場合も、多列で配置されたコーム５群の頭部当接側に第１の開口部７ａを非頭部当接側に第２の開口部７ｂを有している。また各コーム５の非頭部当接側である外側に補助送風口８を設けてある。
【００１２】
しかしてヘアーセッターにてセットする場合、頭部当接側を人体の頭部に当接して頭部に沿ってスライドさせるが、コーム５群で髪の毛をかき分け髪を軽く掬っているとき、頭部当接側に設けた第１の開口部７ａで髪の根元に温風のような風を送ることができが、非頭部当接側に設けた第２の開口部７ｂで髪の根元以外にも温風のような風を当てることができ、乾燥状態がまばらになるのを低減させることができると共に、全体的に髪の毛を乾燥させてボリュームアップさせることができる。また人体の頭部２２のサイド等に使用した場合は、アタッチメント２全体を髪の毛２３が覆う形となり、アタッチメント２全体を覆った髪２３を浮かせることができ、さらにボリュームアップ力を上げることができる。また図１乃至図３に示す例のものでは高さの低いコーム１６群も設けてあるため、高さの高いコーム５群にて髪の毛をかき分けると共に軽く掬い上げ、高さの低いコーム１６群で髪の毛にテンションを加えて根元から立たせてやり、その中間部に開口部７ａから温風のような風を出すことによって髪の毛の根元に温風のような風を与えてやり、毛髪乾燥と共に髪の毛をふんわりとボリュームアップするようになる。
【００１３】
また上記のように温風のような風を吹き出すために第１の開口部７ａと第２の開口部７ｂとを設けてあるが、第２の開口部７ｂは第１の開口部７ａより開口面積が小さくなっている。コーム部４から出される風の流量が一定だと考えると、非頭部当接側に設けられた第２の開口部７ｂの開口面積を、頭部当接側に設けられた第１の開口部７ａの開口面積よりも小さくすることにより、第２の開口部７ｂから出る風の平均流速が早くなる。第２の開口部７ｂから出る風の平均流速を上げることにより、頭部のサイド等に使用した場合、アタッチメント２全体を覆った髪を浮かせることができる。
【００１４】
また少なくとも非頭部当接側である外側に位置する１本以上のコーム５に非頭部当接側で補助送風口８を設けてある。コーム５に非頭部当接側で補助送風口８を設けると、髪の毛が第１や第２の開口部７ａ，７ｂを塞ぎぎみになっても、第１や第２の開口部７ａ，７ｂより遠いところの髪に温風を当ててやることができ、更に非頭部当接側に補助送風口８があることにより、髪のボリュームアップの方向に風を送ることができる。また図１乃至図３の例ではコーム５の頭部当接側である内側にも第２の補助送風口２１を設けてあり、第２の補助送風口２１から送風することで第１の開口部７ａが塞がれ気味になっても、髪の根元に温風のような風を当てることができる。
【００１５】
また図５、図６の例では多列のコーム５群のうち、少なくとも頭部当接側である内側に位置する１本以上のコーム５に非頭部当接側で補助送風口８を設けてある。本例の場合、各コームに夫々補助送風口８を設けてある。コーム５群のうち、少なくとも内側に位置する１本以上のコーム５に非頭部当接側で補助送風口８を設けると、髪の毛が第１や第２の開口部７ａ，７ｂを塞ぎ気味になっても、第１や第２の開口部７ａ，７ｂより遠いところの髪に温風を当ててやることができ、第１や第２の開口部７ａ，７ｂより遠いところの髪の内部までボリュームアップの方向に風を送ることができる。
【００１６】
またアタッチメント２の風洞９内に、第２の開口部７ｂから吹き出す風をコーム５群より離れる側である斜め方向に吹き出すための風向き変更部１０を設けある。この風向き変更部１０の一例として三角型の風向き変更リブ１０ａがあり、図４、図８に示すように基台４ａの裏面で隣合う空洞２０間に位置するように設けてある。このように風向き変更部１０としての風向き変更リブ１０ａを設けることにより、図８の矢印ａ方向に流れてきた風が風向き変更リブ１０ａで風向きが変更され、第２の開口部７ｂから図８の矢印ｂのように斜め方向に風を吹き出させることができ、頭部のサイドに使用した場合、アタッチメント２全体を覆った髪を、コーム５のラジアル方向に浮かせるのに効果的である。また図９は風向き変更部１０の他例であり、風向き変更リブ１０ｂをコーム基台３内に設けてあり、第２の開口部７ｂから斜めに風を吹き出すようにしてある。
【００１７】
またアタッチメント２の風洞９内には第１の開口部７ａまたは第２の開口部７ｂから吹き出される風を整流させるための整流片１１を設けてある。つまり、図２に示すようにコーム基台３の内面に複数本の整流片１１を設けてあり、第２の開口部７ｂ側の整流片１１の上端にはコーム部４を固定するためのフック１４を設けてある。上記のようにアタッチメント２の風洞９内に整流片１１を設けることにより、送風機本体１のエア吐出口から吐出された温風のような風がアタッチメント２内の風洞９を開口部７ａ，７ｂに向かって流れるとき図１０の矢印のように流れて整流され、第１や第２の開口部７ａ，７ｂから整流された風を吹き出すことができる。
【００１８】
【発明の効果】
本発明の請求項１の発明は、叙述の如くアタッチメントのコーム部に１列以上で配置される非頭部当接側のコーム群の頭部当接側に第１の開口部を、非頭部当接側に第２の開口部を設けているので、コーム群で髪の毛をかき分け髪を軽く掬っているとき、頭部当接側に設けた第１の開口部で髪の根元に温風のような風を送ることができるが、非頭部当接側に設けた第２の開口部で髪の根元以外にも温風のような風を当てることができ、乾燥状態がまばらになるのを低減させることができると共に、全体的に髪の毛を乾燥させてボリュームアップさせることができるものであり、また人体の頭部のサイド等に使用した場合は、アタッチメント全体を髪の毛が覆う形となり、アタッチメント全体を覆った髪を浮かせることができ、さらにボリュームアップ力を上げることができるものである。また第２の開口部は第１の開口部より開口面積が小さいので、第２の開口部から出る風の平均流速を上げることにより、頭部のサイド等に使用した場合、アタッチメント全体を覆った髪を浮かせることができるものである。
【００１９】
また本発明の請求項２の発明は、請求項１において、非頭部当接側のコーム群のうち、少なくとも非頭部当接側である外側に位置する１本以上のコームに非頭部当接側で補助送風口を設けたので、髪の毛が第１や第２の開口部を塞ぎぎみになっても、第１や第２の開口部より遠いところの髪に温風のような風を当ててやることができ、更に非頭部当接側に補助送風口があることにより、髪のボリュームアップの方向に風を送ることができるものである。
【００２０】
また本発明の請求項３の発明は、請求項１において、非頭部当接側のコーム群のうち、少なくとも頭部当接側である内側に位置する１本以上のコームに非頭部当接側で補助送風口を設けたので、髪の毛が第１や第２の開口部を塞ぎ気味になっても、第１や第２の開口部より遠いところの髪に温風のような風を当ててやることができ、第１や第２の開口部より遠いところの髪の内部までボリュームアップの方向に風を送ることができるものである。
【００２１】
また本発明の請求項４の発明は、請求項１において、アタッチメントの風洞内に、第２の開口部から吹き出す風を非頭部当接側のコーム群より離れる側である斜め方向に吹き出すための風向き変更部を設けたので、第２の開口部からは更に斜め方向に風を吐出させることができ、頭部のサイドに使用した場合、アタッチメント全体を覆った髪を、コームのラジアル方向に浮かせるのに効果的なものである。
【００２２】
また本発明の請求項５の発明は、請求項１において、アタッチメントの風洞内に第１の開口部または第２の開口部から吹き出される風を整流させるための整流片を設けたので、送風機本体のエア吐出口から吐出された温風のような風がアタッチメント内の風洞を開口部に向かって流れるときに整流され、第１や第２の開口部から整流された風を吹き出すことができるものである。
【図面の簡単な説明】
【図１】（ａ）は本発明の実施の形態の一例の断面図、（ｂ）は（ａ）の補助送風口の正面図である。
【図２】同上の全体を示す斜視図である。
【図３】同上の分解斜視図である。
【図４】図３のＡ方向矢視図である。
【図５】同上の他例を示す斜視図である。
【図６】図５のＢ方向矢視図である。
【図７】同上の頭部のサイドを整髪している状態を説明する説明図である。
【図８】同上の風向き変更部で風向きを変更して第２の開口部から吹き出す状態を説明する断面図である。
【図９】同上の風向き変更部の他例を説明する斜視図である。
【図１０】同上の整流状態を説明する斜視図である。
【図１１】従来例を示す斜視図である。
【符号の説明】
１  送風機本体
２  アタッチメント
３  コーム基台
４  コーム部
５  コーム
７  開口部
７ａ  第１の開口部
７ｂ  第２の開口部
８  補助送風口
９  風洞
１０  風向き変更部
１１  整流片
【図１】
0003852512.tif 000002
【図２】
0003852512.tif 000003
【図３】
0003852512.tif 000004
【図４】
0003852512.tif 000005
【図５】
0003852512.tif 000006
【図６】
0003852512.tif 000007
【図７】
0003852512.tif 000008
【図８】
0003852512.tif 000009
【図９】
0003852512.tif 000010
【図１０】
0003852512.tif 000011
【図１１】
0003852512.tif 000012